(57)【要約】      （修正有）【課題】浴槽での使用済みのお湯を再生型セラミック膜フィルターによりゴミや皮脂、細菌、ウィルスまで分離除去し、浴槽外に設ける貯留槽の外周外側に設ける２段の外槽で形成する二箇所の隙間に反射板付きガラスウールを封入して、真空抜きする事で放熱防止や対流防止の出来る保温構造とし、その貯留槽の中で、収納浄水湯をパイプヒーターで加熱する事で、上がり湯を提供する。【解決手段】４０℃程度のお湯を、午前１時から午前６時までの第２深夜電力の５時間で６５℃〜９０℃まで加熱することと、１２時間もの長時間保温のための貯留槽外周外側に設ける真空部隙間と反射板付ガラスウール封入の真空部を二箇所設ける構造を持ち、貯留槽の中に蓄えられた収納浄水湯の中に上がり湯タンクを設けて水道水を流しながら、下方からパイプヒーター加熱して上がり湯を製造出来る方法を採用したエコ上がり湯付給湯器。【選択図】図１
2011242022.tif 000002
【特許請求の範囲】
【請求項１】
浴槽１から汲み上げたお湯２をセラミック膜フィルターケース５のセラミック膜フィルターで超精密ろ過しながら、浴槽外に蓄える方式において、ツバ付中央槽１６の外周外側を反射板付ガラスウール３２と同時に真空隙間Ａ２６を持つ真空部Ａ３０を持ち、かぶさる形でツバ付第2槽１５が設けられ、このツバ付第２槽１５の外周外側を反射板付ガラスウール４５と同時に真空隙間Ｂ２７を持った真空部Ｂ３１がかぶさる形でツバ付第３槽１３が設けられ、この上槽部下端に設けられたツバ部に対して、パッキンを挟んでツバ付下槽部が固定出来るようになっており、この下端中心に設けられた中心穴の二箇所の真空隙間が形成出来るように、二枚の樹脂板と最下層部の樹脂板との間に、断熱材Ａ７０及び断熱材Ｂ７１、薄型断熱材１７の３枚の薄い断熱材を挟んで固定され、この三枚の樹脂板の中心部には、樹脂板中央穴部２８の上方部穴を塞ぐように片持支持のゴム製安全弁付フロート弁２２が設けられている、下方部のみ開放支持形を特徴とするエコ上がり湯付給湯器。
【請求項２】
前記請求項１の浴槽１の外に蓄えるツバ付中央槽１６の保温構造において、その下方に設ける湯口支持台８を上下出来る湯口上下用シリンダー１４により自由に上下出来、湯口支持台８の中には、浄水湯用ホース６、エアー用ホース１０、排湯ホース２３、水道用ホース３７、パイプヒーターＡ３５が設置固定されており、これが上昇するとパイプヒーターＡ３５の上端部でゴム製安全弁付フロート弁２２が開閉できる構造となっており、下方に下がっている時は、左右断熱ブロック１２が左右断熱ブロック開閉シリンダー１１で閉じられており、上昇時には、収納浄水湯２４がエアー用ホース１０より高圧エアーを投入する事で急速に排湯ホース２３より浴槽１にお湯２を戻せれる事を特徴とするエコ上がり湯付給湯器。
【請求項３】
前記請求項１、請求項２の浴槽１の外に蓄えるツバ付中央槽１６の保温構造において、その中に蓄える収納浄水湯２４の湯中に設ける下方下端が狭く、上方が上に湾曲をした広い形状で設置時に逆円錐形状をした上がり湯タンク６０が、その外周に水道水加熱用細管６４が螺旋形に巻きつける形で固定され、下方から水道水を水道水圧力調整弁３３を通じて、上方の上がり湯槽上方部６２を通じて内部下方に投入出来、収納浄水湯２４の中の上がり湯タンク６０の下方に設けたパイプヒーターＡ３５で加熱すると、上昇熱湯流で細管及びタンクが加熱され、上がり湯タンク６０の上部に加熱された熱湯が集まり、熱湯がタンク内に満水になると、上がり湯槽排出管６５より排湯出来る構造となっている事を特徴とする請求項１または２のいずれかに記載のエコ上がり湯付給湯器。
【請求項４】
前記浴槽１の請求項１、請求項２、請求項３の浴槽１の外に蓄えるツバ付中央槽１６の保温構造において、その中に蓄える収納浄水湯２４の湯中に設ける上がり湯タンク６０が水道水のみをパイプヒーターＡ３５の加熱で加工し、収納浄水湯２４は、浴槽１に戻さないで、上がり湯タンク６０の中の水道水の加熱湯のみで浴槽１を満たす事を特徴とする請求項１ないし請求項３のいずれかに記載のエコ上がり湯付給湯器。
【発明の詳細な説明】
【技術分野】
【０００１】
本発明は、比較的低温及びやや高温域の浴槽内のお湯を入浴の終了した時点からゴミ等の分離可能な糸巻きフィルター等の工業用のエレメントやフィルター自体の再生が可能で、ゴミや細菌、ウィルスも除去可能なセラミック膜フィルターによる超精密ろ過装置を経由して、ろ過後のお湯を水道法に定める程度に再生ろ過出来るセラミック膜フィルターによるエアーで、ろ過後のろ過後液で内部からの逆洗浄により、ゴミや細菌等のバックフィルターへの収納によりフィルターの破棄を無くして、ろ過後のお湯を本発明の貯湯槽の中心槽とその外側との間で形成する第２槽と、さらにその外側外周とで形成する第３槽との隙間の二箇所の隙間にガラスウール等の断熱材とアルミ箔等の反射複合材を挿入して真空化する事で、大気へのエネルギーの放出を放射・伝熱で防止して
長期間での使用に耐え、コスト低減やＣＯ２対策とする装置を提供せんとするものである。
【背景技術】
【０００２】
従来、浴槽で入浴する場合、多人数での入浴では、途中での湯ざめや使用湯の追加の為、一般的に水道水を加熱する深夜電気温水器やエコキュートでは、量的な問題は、タンク容量の拡大で対応し、湯ざめ問題は、外部での熱交換機能の増設などで対応しているが、ユーザーの満足度を上げる為には、販売価格の上昇は、避けられなく又使用するエネルギーも値段の高い昼間の電気の使用も必要になってくる傾向がみられ、電気料金の安い第２深夜電力は、中部電力では午前１時から午前６時での５時間であり、この時間帯で電力を使用するだけでは、実際にお風呂の使用時間帯である午後６時以降では、１２時間以上の使用時間に大きなズレが発生する。
【０００３】
この使用時間帯まで、保温状態を良好に保つには、様々な工夫が必要であり、一般的には、容器部分を真空断熱材やグラスウール等で巻きつけて保温する方法が取られており、たとえば、タンクのまわりを断熱材でおおって、その外周にカバーを取り付ける特開２００１−１１６３６７の温水タンクの特許出願や販売中のエコキュートや深夜電気温水器などは、この方法であり、どうしても水道水を下方から投入して、内部で加熱して熱水を上部にためて出湯する構造の為、保温という事では、下方ではタンク内部からの伝熱防止及び上方からの取出し管による伝熱放熱及びタンク外周からのふく射熱による放熱防止や対流防止の観点では、コスト面を除いても不充分な構造であり、保温では、長時間保温には適さない構成が取られている。
【０００４】
又一般的には、深夜電気温水器やエコキュートは、タンク貯湯中に下方から減圧した水道水を投入して加熱、上方から水道水の水圧を利用して熱水を抜き取る方法を取る為、タンク上方には、第２深夜電力の５時間では、加熱しても上方は、６５℃〜９０℃になっても下方は、タンク容量を増やしてもぬるい温度の状態という事にもなって、状況によっては、昼間の高コストな追加電力の投入が必要になってしまうという傾向の為に、タンクは、下方に水のまま残ってしまってもタンク容量は、大きくする必要があり、また上方での熱水の吐出圧力を増加するには、タンクの強度を増加させる必要がでてくる。
【０００５】
この様な事から本発明では、一般的な水道水の減圧方式の採用と蓄熱槽形の中心槽の周りに設ける二箇所の隙間にガラスウールの設置と共に真空抜きを同時に行なう事で、浴槽から貯湯槽への投入温度である４０℃程度のお湯がユーザーの選択により必要に応じて水位センサーのレベルに合わせて水道水を供給出来るようにすることで、深夜電力で６５℃〜９０℃に増加加熱中にも必要に応じて水道水を中心槽タンクに水位センサーのレベルに合わせて供給でき、お湯の量的面でも対応でき、さらには、加熱中の水蒸気の発生を想定して湯口支持台には、中心槽内の内圧が一定レベルを越えた時の為に、圧力逃がし用安全弁Ａと共に湯口支持台中の排湯ホースの途中にも圧力逃がし用一方向安全バルブを取り付ける事で、中心槽中での異常圧力を排湯として浴槽中に逃がす事も出来る安全策を設けている。
【０００６】
さらに、中心槽中の加熱中以外でも異常圧力が発生した場合にも、この異常圧力を逃がすために、下端に設けられた中心槽及び第２槽、第３槽のそれぞれの壁を支持して、互いの隙間を維持する厚さを持った樹脂板３枚がそれぞれ薄い断熱材を挟み込んで壁を支えており、この支える以外の所に内部貯湯部に通じる圧力逃がし用安全弁も設けられている。
【０００７】
又本発明の核心部分として、浴槽から特許第３８２２５４３号、登録第３１２３４５６号、登録第３１２３４５６号によりセラミック膜フィルターによってセラミック膜の表面の細孔によりゴミや皮脂だけでなく細菌やウイルスも除去可能となり、必要によっては、色素や匂いその他の成分も必要に応じてセラミック膜フィルターケースのろ過後の後工程で除去する事も可能であると共に
セラミック膜フィルターケースの内部より貯留したろ過後液をエアーの圧力で同時に出す事で、逆洗浄し、セラミック膜フィルター表面に付着したゴミや皮脂、細菌、ウィルスも下方に設けたバッグフィルターの中に蓄えて、不使用時には、下方のバルブから内部の液を排出し内部にエアーだけで洗浄してセラミック膜フィルター及びケース内部をカラカラに乾燥して置く事で雑菌の繁殖を防止出来ることは、工業用フィルターではフィルターの乾燥化が出来ないことから、見ても有利である。
【０００８】
又、セラミック膜フィルターにより入浴中でも浴槽内のお湯をろ過する循環型にする事でも、入浴中の浮遊物や皮脂、ゴミなどをろ過して浴槽に戻す循環
システムも有用であり、セラミック膜フィルターでろ過したお湯は、貯留用の
中央槽の周りに設ける隙間内部にガラスウールを備えた一重あるいは、二重の真空槽からなる魔法瓶形真空槽に蓄えるわけだが、この外周が１重あるいは、二重のガラスウール入りの魔法瓶形真空槽は、中央槽の周り外側に３０ｍｍ〜４０ｍｍの隙間を有する第２槽でおおい、その第２槽の外周外側との間に隙間３０ｍｍ〜40mmを設けて第３槽の内壁にするもので、その中央槽を形成する下方部分に設ける、外向きにＬ型をしたツバ部は、中央槽、その外周の第２槽、さらにその外側外周に設ける第３槽の下端部分に設けられており、この上槽部のＬ型のツバ部に対応出来るように、上方が開放形をしたお碗形の下槽部もそれぞれ数十ミリの隙間を有して設置出来、隙間に相当する樹脂板を挟み込んで３枚が設置固定され、その下槽部にも、上槽部に対応するＬ型ツバ部が設けられ、それぞれパッキンを挟んで接合できる構造となっている為に、中央槽内の修理などの必要に応じて真空は、なくなるが分離して内部の工作も可能であり、工作後、上槽下槽も再接合して下方の樹脂板に設けた真空抜きを行なうための隙間に差し込まれた２箇所の銅パイプで再真空化を行い銅パイプの再カシメで真空化を実行できる。
【０００９】
又、エネルギーを外部に逃がさないという観点から、加熱したエネルギーとしての浴槽からのろ過後の残り湯と電気の第２深夜電力を主体とした夜間電力の高度な利用も非常に重要であり、この為にも、貯湯槽からの空中放熱、伝熱放熱、対流放熱、ふく射放熱等に対応した装置を考えて真空構造と断熱材の二つの工法の取入れを行ない、さらに投入口の下方一箇所での入路・出路・安全装置類・測定計器・加熱用パイプヒーター・排湯用のエアー用ホース及び内部に設ける上がり湯製造の為の水道水投入口と外部への取り出し口がこの下方に設けられ、さらにこの投入口も湯口支持台として、作動中以外は、分離して下方に下げれる構造をとり、さらに湯口支持台が下がっている時は、投入口上端のゴム製安全弁付フロート弁からの放熱防止の為にこの穴を塞ぐ断熱材がシリンダーにより塞ぐように設けられている。
【００１０】
したがって、蓄熱槽形の貯湯槽としては、あくまでも放熱を防止する保温性が大切だと考えており、この観点から本発明では、鏡面のステンレス製中心槽の外側を第2槽の内壁とみなして、３０ｍｍ〜40ｍｍの隙間を設けて、この隙間にガラスウールを封入して真空にする一重形も可能であるが、20年、30年もの長期使用に耐える為には、さらに第2槽の外周外側壁をその外側にかぶせる形の第3槽の内壁とみなして、その隙間を３０ｍｍ〜40ｍｍ離して被せる構成でガラスウール封入とその真空化もさらなる二重構造が長期使用には、必要ではないかと考えており、一般的に考えられている、真空中の対流防止のために、第２槽、第３槽の内外周とを、表面を実現可能な半鏡面のＳＵＳ４３０を使用する事とともに真空中でのふく射熱を反射させる為に、それらの隙間に封入されたガラスウールの表面に設けられた反射板（アルミはく板）によっても、ふく射熱を閉じ込める働きをさせる。
【００１１】
このように、本発明では、ステンレス製の中心槽に対してその外側に真空部と同時に反射板付きのガラスウールを封入し、さらにこれを二箇同時に設けることで、より一層蓄熱効果をあげることと、その中心槽へのお湯の投入方法においても、下方部からの上下可動式の湯口支持台による上方移動は、加熱中のみであり、それ以外は、下方に下がっている事で、ここからの伝熱放熱を防止出来、さらに中心槽及び第２槽、第３槽を支えて隙間を形成する樹脂板の３枚は、その１枚目と２枚目との間、および２枚目と３枚目の間には、薄い断熱材を挟みこんで樹脂板から第２槽壁及び第３槽壁への中央槽壁からの伝熱による内部の熱を逃がさないように工夫されている。
【００１２】
又、貯留槽の中に一定のレベルまでお湯が入っている時に、湯口支持台に取り付けられたパイプヒーターが接触しない程度の位置に底部を持った上がり湯タンクが下方より上方の口元が広くなった逆円錐形をした状態で密封され、この上槽部板に固定された状態で、中央槽内部に固定されており、この上がり湯タンクは、内部に設置されたとき、逆円錐形の周りを減圧弁を通して、水道水が下方から供給出来る程度の細管としてステンレスのスパイラル状でタンクに固着されている為、、湯口支持台が上昇した時のみ、下方のお湯がパイプヒーターにより加熱され、その熱湯の上昇流で上がり湯タンクの下端、タンク本体壁面及びスパイラル状の細管により上昇流が遮られる事で貯湯槽の中でお湯がかき回し効果が発生すると共に、細管中の水道水の送水中にも加熱されて減圧弁の水圧で上昇して上がり湯タンク上端から入り、タンク内部を通って上がり湯タンク下方端から放出される構造であり、この上方に溜まるお湯を排出用管を通じて、外部に取り出せれる構造のために入路・出路も上方のタンク壁に集中する事で、上がり湯タンクからの放熱を少なくし、貯湯槽自体の保温性にも助けられて、上がり湯タンクからの湯温の低下を防止する構造となっている。
【００１３】
この為に、上がり湯タンクの上端壁から上がり湯の排出用管から規定時間の午前１時から午前６時の５時間で第２深夜電力又は中部電力の場合、午後１１時から午前７時のナイトタイム契約時間の８時間の前後にも収納浄水湯に満たされている間中収納浄水湯の湯温により長時間熱交換されることとなり、パイプヒーターの発熱で貯湯槽の中の収納浄水湯と上がり湯タンク中の水道水が上がり湯タンク上方に溜まり、排出用管より熱湯を取り出すと水道水の投入口に設けられた減圧弁により通常は、２気圧〜３気圧程度の水圧で上がり湯タンク下端内部に水道水が投入されるために、排出用管から上がり湯を使用すると水道水が供給される構造を持っており、この構造は、深夜電気温水器やエコキュートでの水道水供給構造と同じであるが、本発明の上がり湯タンク構造では、まわりを収納浄水湯の中にあり、この収納浄水湯が二箇所のガラスウール入りの真空断熱構造の貯湯槽のなかにあり、深夜電力で６５℃〜９０℃に加熱されている事の違いがある。
【００１４】
この排出用管は、蓄熱槽形である中心槽の内部の収容浄水湯の中を通って下方に設けられている３枚の断熱シートを挟みこんだ３枚の樹脂板を貫通して外部に取り出せれる構造であり、この排出用管の管端には、サーモステットシャワー混合栓やその他の混合栓により水道水と混合して使用可能になる。
【先行技術文献】
【特許文献】
【００１５】
【特許文献１】特許第３７２９８９７号
【特許文献２】特開２００１−１１６３６７号公報
【特許文献３】特許第３８２２５４３号
【特許文献４】登録実用新案第３１２３４７３号公報
【特許文献５】登録実用新案第３１２３４５６号公報
【特許文献６】特開平０６−２４１５５２
【特許文献７】特開平０１−１６３５５４
【発明の概要】
【発明が解決しようとする課題】
【００１６】
本発明は、世界的命題であるＣＯ2の削減という課題に対して、日本でのおもに既設のお風呂に対して現在のガス機器や石油機器も含めてその設備を破壊する事無く、家庭においてもこれに対応出来る発明で、家庭におけるＣＯ２対策では、エネルギー使用の中で熱エネルギーが３０％をしめるお風呂があるが、この対応商品としては、日本では約１０社が発売しているエコキュートがあるが、本体定価が６０万円〜９５万円であり（実勢価格でも約５０万円程度、工事費が１２万円程度：合計６２万円程度）と高額であり、ある資料によると一般家庭でのお風呂の燃料費は、都市ガス換算で月額７．８００円かかり、深夜電気温水器でも月額４．８００円となり、エコキュートの燃料費との差は約６．０００円でありしたがって、その償却には、９年〜１０年かかる計算となり又ユーザーの利便性を重んじる日本の一般的な風潮である高機能を追求するあまり高額になってしまう事が欠点である。
【００１７】
したがって、いったん設置されたガスや石油による給湯型の改修は、従来の給湯器の破棄や家の給湯システムのためにかなりの改造工事が必要になり、なかなか普及せず家の新築や改築時まで待たなければならない欠点があり、発明が解決しようとする課題は、これらのユーザーへの思いやりの精神で機能は、シンプルにして、エネルギーを出来る限り外気に逃がさない工夫を行い、水もエネルギーもリサイクルし、加熱するエネルギーも深夜に余る第２深夜電力の５時間又はナイトタイム電力の８時間で済まそうとする、蓄熱槽形の貯湯槽である中心槽を工夫した結果であり、その点、昼間の電気の使用を控える事で上がり湯も制限を受けるが、電気的に昼間の使用も可能だし、装置としてエコキュートや深夜電気温水器とちがって、お風呂のガス給湯システムや石油式の給湯システムもそのまま併設で使用可能にする為、工事費の減少化もユーザーの考えひとつで色々と、いく通りもの使用が出来る利点がある。
【００１８】
又、本発明のように上がり湯の製造方法で、湯中での深夜電力による熱交換システムにより発生も考えられる湯アカも仕上がり用のセラミック膜フィルターによるろ過を追加増設する事で解決出来、さらにユーザーの好みにより、上がり湯のみでの浴槽湯はりも可能であり、いずれも上がり湯タンクが収納浄水湯中にある間は、熱交換作用で上がり湯タンク自体が収納浄水湯の温度で熱交換して、中の水道水も昇温してタンク上方に溜まることと成るが、パイプヒーターＡで加熱された後も収納浄水湯の温度で長時間に渡り加温出来るメリットもあり、使用するユーザーの選択肢で電気的なコントローラーでコントロールが可能となっており、この場合は、エコキュートや深夜電気温水器と同様の仕様となるが、この様な使い方をしない事も可能となる等の幾多の選択技がある。
【００１９】
この様に課題としては、お風呂でのエネルギー消費自体の節約でＣＯ２を減少させる機能、装置の高額化防止、工事費の減少化、使用中の給湯システムの装置自体の維持により装置の廃棄物の減少化などがある。
【課題を解決するための手段】
【００２０】
本発明は、請求項１として、浴槽１から汲み上げたお湯２をセラミック膜フィルターケース５のセラミック膜フィルターで超精密ろ過しながら、浴槽外に蓄える方式において、ツバ付中央槽１６の外周外側を反射板付ガラスウール３２と同時に真空隙間Ａ２６を持つ真空部Ａ３０を持ち、かぶさる形でツバ付第2槽１５が設けられ、このツバ付第２槽１５の外周外側を反射板付ガラスウール４５と同時に真空隙間Ｂ２７を持った真空部Ｂ３１がかぶさる形でツバ付第３槽１３が設けられ、この上槽部下端に設けられたツバ部に対して、パッキンを挟んでツバ付下槽部が固定出来るようになっており、この下端中心に設けられた中心穴の二箇所の真空隙間が形成出来るように、二枚の樹脂板と最下層部の樹脂板との間に、断熱材Ａ７０及び断熱材Ｂ７１、薄型断熱材１７の３枚の薄い断熱材を挟んで固定され、この三枚の樹脂板の中心部には、樹脂板中央穴部２８の上方部穴を塞ぐように片持支持のゴム製安全弁付フロート弁２２が設けられている、下方部のみ開放支持形を特徴とするエコ上がり湯付給湯器。
請求項２として、前記請求項１の浴槽１の外に蓄えるツバ付中央槽１６の保温構造において、その下方に設ける湯口支持台８を上下出来る湯口上下用シリンダー１４により自由に上下出来、湯口支持台８の中には、浄水湯用ホース６、エアー用ホース１０、排湯ホース２３、水道用ホース３７、パイプヒーターＡ３５が設置固定されており、これが上昇するとパイプヒーターＡ３５の上端部でゴム製安全弁付フロート弁２２が開閉できる構造となっており、下方に下がっている時は、左右断熱ブロック１２が左右断熱ブロック開閉シリンダー１１で閉じられており、上昇時には、収納浄水湯２４がエアー用ホース１０より高圧エアーを投入する事で急速に排湯ホース２３より浴槽１にお湯２を戻せれる事を特徴とするエコ上がり湯付給湯器。
請求項３として、前記請求項１、請求項２の浴槽１の外に蓄えるツバ付中央槽１６の保温構造において、その中に蓄える収納浄水湯２４の湯中に設ける下方下端が狭く、上方が上に湾曲をした広い形状で設置時に逆円錐形状をした上がり湯タンク６０が、その外周に水道水加熱用細管６４が螺旋形に巻きつける形で固定され、下方から水道水を水道水圧力調整弁３３を通じて、上方の上がり湯槽上方部６２を通じて内部下方に投入出来、収納浄水湯２４の中の上がり湯タンク６０の下方に設けたパイプヒーターＡ３５で加熱すると、上昇熱湯流で細管及びタンクが加熱され、上がり湯タンク６０の上部に加熱された熱湯が集まり、熱湯がタンク内に満水になると、上がり湯槽排出管６５より排湯出来る構造となっている事を特徴とする請求項１または２のいずれかに記載のエコ上がり湯付給湯器。
請求項４として、前記浴槽１の請求項１、請求項２、請求項３の浴槽１の外に蓄えるツバ付中央槽１６の保温構造において、その中に蓄える収納浄水湯２４の湯中に設ける上がり湯タンク６０が水道水のみをパイプヒーターＡ３５の加熱で加工し、収納浄水湯２４は、浴槽１に戻さないで、上がり湯タンク６０の中の水道水の加熱湯のみで浴槽１を満たす事を特徴とする請求項１ないし請求項３のいずれかに記載のエコ上がり湯付給湯器。である。
これらの課題に対して、手段としては、現在使用中のガス給湯器や石油による湯沸し法の給湯器を安価な装置を追加して、エコキュートや深夜電気温水器と同等程度の機能を付与することを目指すもので、お風呂でのエネルギー自体の節約でＣＯ２の排出を抑える為に、お風呂の貯湯を水道水と同等程度の水質になるように、セラミック膜フィルターによりろ過を行い、このお湯から外気へのエネルギーの逃避を防止する為に、ステンレス中心槽の外周への２段真空化とその形成方法として１段目及び２段目ともに隙間の真空化と反射板付きのガラスウール封入による２重の被覆で、万一真空が破れても対流現象やふく射現象が起こりにくくし、さらに中心槽及びその外周に設けるステンレス外装外壁を鏡面仕上げにする事と中に封入するガラスウールにもアルミ箔で反射させる２つの機能でふく射熱を小さくする機能を持たせる。
【００２１】
又、中心槽への浄水湯の投入方法でも、最下方に設けた中心槽及びその外槽２個所壁を支持出来る中心穴の３枚の樹脂板が、中心槽、第２槽、第３槽を形成するそれぞれの下方部壁穴に、それぞれ独立して固定された３枚の樹脂板の間には、薄い断熱材を挟みこんで接着剤と共に接続用のネジにより３枚の樹脂板を連結して固定することで、装置の簡素化が可能になり、装置の高額化が防止できる。
【００２２】
中心槽への浄水湯の供給および排出は、下方に設けた湯口支持台に集中して設ける事と共に加熱用のパイプヒーターが下方に下がっている時に、装置機外で部品等の取り替えが容易なことは、工事費・維持費の減少化が可能になり、この湯口支持台が上昇した時のみ、パイプヒーターが、内部に設置された逆円錐形をした上がり湯タンクの下方部分から内部の収納浄水湯を加熱する事でパイプヒーターが通電すると下方部分から熱水が上昇流として上がり湯タンクの底部、壁部、その周りに設置された細管とその内部を流れる水道水を加熱しながら流動する事で、上がり湯タンクの上部に溜まった熱水を上がり湯上端の排出管より上方の底部に投入された減圧弁を通って供給する水道水の圧力で排出管出口を開放すると放出される。
【００２３】
又、現在使用中の浴槽からセラミック膜フィルターケースへのポンプを介してのお湯の供給および中心槽からの湯口支持台を通じての浴槽への戻し湯も浴槽に設けられた配管の途中から行なう事で、使用中のガス機器、石油機器もそのまま使用できる事で、装置自体の維持で工事による廃棄物の減少化も計れる。  
【発明の効果】
【００２４】
上がり湯を作る方法としては、中心槽に蓄えられた水道水のお湯を、外部にポンプなどで循環させて熱交換させる方法もあるが、本発明のようなお風呂の残り湯から出発する４３℃程度のお湯による熱交換では、非常に効率が悪く、外部での熱交換では、深夜電力で加熱する午前１時から午前６時までの過熱では、主に上がり湯として使用する午後８時前後までには、１２時間もあり放熱による温度低下も激しいと考えられ、この点からも蓄熱槽である本発明の中心槽中に上がり湯タンクがパイプヒーターで加熱を受け、そのまま収納浄水湯中に存在するのは、非常に有用であり効果が高く、この構造での使用方法も電気的にユーザーがコントローラーで選択出来るのも非常に効果的である。
【００２５】
これは、水道水のみで作られた上がり湯だけで、浴槽を満たす事も可能であるが、上がり湯タンクの構造上、タンク上方からお湯を使用する事で５時間ないしは、８時間で加熱可能エネルギーは、夜間電力のみでは、使ったり使用しなかったりでは、パイプヒーターの能力上無駄が出る可能性があり昼間の電力を使わざるをえない等の欠点も出てしまう可能性も考えられる。
【００２６】
又、本発明の中心槽に対する外周外側に２段の隙間を設けその中に反射板付きのガラスウールを設ける方法は、蓄熱槽だけでなく、管構造の保温にも使用可能で、本発明でも、上がり湯から大気中に露出する排出管の一部にも使用する事で排出管中のお湯を保温して冷めにくくする機能も持っている利点・効果がある。
【図面の簡単な説明】
【００２７】
【図１】実施例１の浴槽１から上がり湯タンク６０までの断面側面図。
【図２】実施例１の下槽支持部の樹脂板の構造断面側面図。
【図３】実施例１の湯口支持台の集中配管の断面上面図。
【発明を実施するための形態】
【００２８】
本発明は、ＣＯ２削減を計る為に家庭のお風呂の湯の浄水と加熱したエネルギーの保持、保温構造の工夫、再加熱に使用する第２深夜電力を使用する事で深夜で余分の電気を使用する事で、電気のリサイクルを実現する構造、その加熱中にユーザーの希望の多い上がり湯も加工できる機能も付加する装置を提供せんとするものである。
【実施例】
【００２９】
本発明の実施例１を図１及び図２、図３より説明する。
図１に示すように、浴槽１から外ガス釜２５の間をつなぐパイプに電動ポンプ３を介して、お湯２を汲み出して浴槽汲み上げホース４を介してセラミック膜フィルターケース５で超精密ろ過しながら浄水用ホース６で排出されたお湯は、湯口支持台８に管端を差し込まれて固定し、排湯ホース２３及びエアー用ホース１０、水道用ホース３７が同時に収納固定されている。
【００３０】
セラミック膜フィルターケース５は、特許第３８２２５４３号及び登録第３１２３４５６号、登録第３１２３４７３号に示されたようにセラミックの基材の上にセラミックの薄膜を焼き付けた構造であり、このセラミック薄膜の極微小孔によりゴミや細菌、皮脂、ウィルスまで必要に応じて自在にセラミック膜フィルターで超精密ろ過して、繰り返して使用する為に、前述の特許や実用新案に示されているように、フィルターケース内部に蓄えたろ過液を、内部からエアーと共に逆洗する事で、フィルター表面に付着したゴミや細菌、皮脂、ウィルス等をフィルター下方に設けられた不織布製のバックフィルターに貯める構造である為に、繰り返し使用可能となっている。
【００３１】
特に２４時間風呂で問題になった４０℃程度での湯温の場合、工業用フィルター内や配管内に大腸菌やジェネラウス菌等が繁殖する問題から、ろ過が完了したらセラミック膜フィルターケース５の内部に水や湯を残すことは、厳に止める為に、セラミック膜フィルターケース５の下方に設けるバックフィルターの下方バルブを開放してろ過液が無くなってもエアーを噴出させる事で管内や、フィルターを乾燥するように電気的に制御する。
【００３２】
この発明では、ツバ付き中央槽１６内に送り込んだお湯２がろ過後に、どのように送り込まれるかという問題と、送り込まれたお湯２が、ツバ付き中央槽１６内で、収納浄水湯２４として、放熱を防止して２４時間以上保温出来るかが重要であり、ツバ付き中央槽１６の中に設けた水位センサー４０及び温度センサー４３により電気的に水位や温度を見て対応ができる。
【００３３】
この為、ツバ付き中央槽１６やその周囲外側に設けるツバ付き第２槽１５との間に出来る隙間である真空部Ａ３０とその中に封入された断熱材である反射板付きガラスウール３２とそのツバ付き第２槽１５の外周外側とツバ付き第３槽１３との間で形成する隙間の真空部Ｂ３１が、反射板付きガラスウール４５を封入して真空に保たれており、この断熱材の変わりに新しい断熱材が有効的にあれば、使用可能であり、それぞれの壁部を形成するステンレスの壁との間で、万一にも真空漏れが発生した場合の対流現象やステンレス壁の反射やガラスウール反射板による反射現象で熱のふく射現象を防止するものであり、これは、上方に設けられた、３槽を形成する各槽に設けられた下端部にツバ部を設けることで、ツバ付き中央槽１６及びその外側のツバ付き第２槽１５、さらにその外側に設けられたツバ付き第３槽１３が、このツバ部に対応出来る下方に設けた湾曲した３組のツバ付き下槽部がそれぞれパッキンを挟んでネジで結合出来る構造となっている。
【００３４】
図２に示すように湾曲をしたツバ付き下槽部は、中央槽用ツバ付き下槽１９
第２槽用ツバ付き下槽２０および第３槽用ツバ付き下槽２１が、それら３個の
中央穴部に設けられた、第１槽支持用樹脂板６７、第２槽支持用樹脂板６８、最下端に下端支持用樹脂板６９を、それぞれうすい断熱材Ａ７０及び断熱材Ｂ７１を挟んで最上端に設置された上端支持ステンレス板６６に設けられたネジとの間を、結合締結ネジ４２で締め付け結合し、その中央部穴が貫通しており、この中を湯口支持台８が２本のスライド案内棒１８で下方にシリンダー１４で下がっている時に左右に対を成す左右断熱ブロック１２が左右断熱ブロック開閉シリンダー１１により開いている時、湯口支持台８と中央部穴との間で、水漏れを起こさない程度に湯口支持台８の外径に外径用Ｏリング３６を介して上昇時、スムーズに勘合して水漏れを起こさない構造になっている。
【００３５】
上端支持ステンレス板６６には、中央下方が空洞になったゴム製安全弁付フロート弁２２が片持でスライド開閉出来るように設置されており、湯口支持台８が上昇したとき、その中央に設けられたパイプヒーターＡ３５に接触して持ち上がる構造になっており、このゴム製安全弁付フロート弁２２のスペースを除いて、図２のように各下槽との樹脂板の場所に、上がり湯排出ホース６５、圧力逃し用安全弁Ｂ４１が貫通して外部に取り出せれるように固定されているため、湯口支持台８が下がっている時にも一定以上の圧力が発生した時は、圧力逃し用安全弁Ｂ４１及びゴム製安全弁付フロート弁２２より槽外の下方に排出できる構造も持っている。
【００３６】
図３のように、湯口支持台８には、シリンダー１４で上昇時のみ収納浄水湯２４の中で電気の電力で発熱するパイプヒーターＡ３５がその中心に設けられており、その周りには、浄水用ホース６、排水用ホース２３、水道用ホース３７、エアー用ホース１０が固定されており、温度センサー４３及び圧力逃し用安全弁Ａ４４も設置固着されている為、加熱中やエアー吹き出し中にも、過大な温度による圧力上昇時は、過度な圧力を越すと、圧力逃し用安全弁Ａ４４で下方に逃がす事が出来るし、湯口支持台８が上昇中は、図１に示されるように、排水ホース２３の途中に設けられた排水一方向バルブ３９により一定圧力を越した収納浄水湯２４の内部に過大な圧力が加えられると収納浄水湯２４が排水ホース２３より浴槽１に排出されることとなる。
【００３７】
本発明の主眼となる第２深夜電力は、中部電力の場合、午前１時から午前６時までの５時間の間に、４０℃程度の湯温を下方からのパイプヒーターＡ３５の加熱で収納浄水湯２４の中で発熱する事で、６５℃から９０℃の高温にツバ付き中央槽１６のなかを上昇流を形成しながら加熱される事を利用するもので中に設ける上がり湯タンク６０で上がり湯を製造する方法である。
【００３８】
上がり湯タンク６０は、下方が上がり湯槽下方部６１のように先端が狭くて丸みを帯びた形状を成しており、上方は、上がり湯槽上方部６２のように下方に比べて広くて上方に湾曲した形状をしており、中に水道水が投入された時、２〜３気圧程度の水道の圧力が水道水圧力弁３３により満水時にかかる圧力と上がり湯槽下方部６１よりパイプヒーターＡ３５で加熱された熱水が上昇しながらスムーズに上がり湯タンク６０を加熱出来るように逆円錐形状をしており、その周りには、水道水加熱用細管６４が螺旋形に巻きつける形で固定されている為に、パイプヒーターＡ１５で加熱を受けると、その加熱された上昇熱流湯が上昇するとき、まわりの収納浄水湯２４のかき回し効果が出るものである。
【００３９】
この水道水加熱用細管６４は、水道用ホースＢ３４より水道用電磁バルブＢ４８を経由して水道水圧力調整弁３３を経由して、下端支持樹脂板６９及び第２槽支持用樹脂板６８、上端支持ステンレス板６６より水道水加熱用細管６４に結合され、パイプヒーターＡ３５で加熱している時、水道水が補給される事で徐々に加熱されて、上がり湯槽上方部６２に固定され、内部の底部の所に水道水加熱用細管６４の先端が設置される事で、熱い熱湯として放出されることで、上がり湯タンク６０の上部に次第に蓄積されできる構造となっており、第２深夜電力の５時間の間に上がり湯タンク６０に減圧調整弁である水道水圧力調整弁３３より水道水が送り込まれるとその単位時間内に加熱量にかかわらず当初計画された水量で上がり湯タンク６０を充満していくことで、タンク周りから加熱を受けながら貯湯される構造になっている。
【００４０】
上がり湯上方部６２の中央部分には、上がり槽湯排出部６３が固着されており、上がり湯槽排出管６５が、収納浄水湯２４の内部を通って下方に向かって、図２に示された３枚の樹脂板を通って槽外に導き出されており、その管端には、止水栓やサーモステットシャワー混合栓等により、この栓の開閉でお湯を使用できる構造となっていると共にこの使用するお湯により上がり湯タンク６０に、水道水圧力調整弁３３により２〜３気圧程度の水圧で水道水が補給されて、このために上がり湯排出部６３よりタンクの上部に溜まったお湯がその圧力で押し出され上がり湯排出管６５より出湯出来る構造となっている。
【００４１】
図２に示すように、中央槽下槽支持用樹脂板６７より下方に向かって貫通した空気抜用銅製パイプＡ４９が設けられており、第２槽下槽支持用樹脂板６８には、空気抜用銅製パイプＢ５０が下方に貫通して設けられ、ここから各々の隙間を形成する上槽部と下槽部を結合した真空部分である真空部Ａ３０及び真空Ｂ３１の空気を抜いて、真空になるようにして、真空が完成したら銅製パイプをツブシて密封できる構造となっている。
【００４２】
このように、二つの真空槽で形成された中央槽中で４０℃程度の温度を持った収納浄水湯２４は、その収納浄水湯２４の下方から第２深夜電力で加熱される事で、６５℃〜９０℃に加熱されながら、上がり湯タンク６０が徐々に加温され上がり湯タンク６０の内部の水道水が上方に移動して貯められる構造となっており、この内部の水道水は、水道用電磁バルブＢ４８で入切れしても充満する事が出来ると共に内部に水道水を充満すると、その水道水の水圧で、上がり湯槽排出管６５に取り付けた止水栓やサーモスタットシャワー混合栓で温水を使用すると水道水の圧力で上がり湯タンク６０の上方に溜まったお湯が下方から送り込まれる水道水の圧力で出湯する構造となっている。
【００４３】
又、二重の真空槽で形成された真空部Ｂ３１の外壁のステンレス材は、内部の温度の影響を受けない為、９０℃以下であり、この外周を図１に示すように切れ目なく安価な厚い発泡スチロール２９で覆う事が９０℃以下であるために溶解現象が無い為に可能になり、このことで外周でのカバーも含めていっそうの断熱効果と外気の変化での影響を受けなく出来る構造となっている。
【産業上の利用可能性】
【００４４】
本発明の利用活用例としては、家庭のお風呂に利用する事はもちろんであるが、産業用としても、蓄熱槽では、温度の変化が時間差で起こる為に、この二段式の反射板付ガラスウールを封入した真空隙間使用の真空槽を利用した保温方法は、構造が簡単で低コストで設置出来ることも、各地の温泉施設や深夜電気温水器、エコキュートに本発明の示す保温方法で応用が可能で、特にエコキュートには、セラミック膜フィルターケース使用のろ過を使用しなくても、収納浄水湯２４が冷めにくい事で、この中に設置加熱する上がり湯タンク６０方式では、ナイトタイム電力の８時間加熱で、それ以降の１２時間も保温構造が有用で、冷蔵、冷凍をふくめた蓄熱槽・冷熱槽に活用が可能である。
【符号の説明】
【００４５】
１．       
浴槽
２．       
お湯
３．       
電動ポンプ
４．       
浴槽汲み上げ用ホース
５．       
セラミック膜フィルターケース
６．       
浄水湯用ホース
７．       
エアー用バルブ
８．       
湯口支持台
９．       
地面固定用台
１０．エアー用ホース
１１．左右断熱ブロック開閉シリンダー
１２．左右断熱ブロック
１３．ツバ付き第３槽
１４．湯口上下用シリンダー
１５．ツバ付第２槽
１６．ツバ付中央槽
１７．薄型断熱材
１８．スライド案内棒
１９．ツバ付中央槽用下槽
２０．ツバ付第２槽用下槽
２１．ツバ付第３槽用下槽
２２．ゴム製安全弁付フロート弁
２３．排湯ホース
２４．収納浄水湯
２５．外ガス釜
２６．真空隙間Ａ
２７．真空隙間Ｂ
２８．樹脂板中央穴部
２９．発泡スチロール
３０．真空部Ａ
３１．真空部Ｂ
３２．反射板付ガラスウール
３３．水道水圧力調整弁
３４．水道用ホースＢ
３５．パイプヒーターＡ
３６．外径用Ｏリング
３７．水道水用ホースＡ
３８．水道用電磁バルブＡ
３９．排水一方向圧力バルブ
４０．水位センサー
４１．圧力逃し安全弁Ｂ
４２．結合締結ネジ
４３．温度センサー
４４．圧力逃し用安全弁Ａ
４５．反射板付ガラスウール
４６．下方上がり湯槽支持部
４７．上方上がり湯槽支持部
４８．水道用電磁バルブＢ
４９．空気抜用銅製パイプＡ
５０．空気抜用銅製パイプＢ
６０．上がり湯タンク
６１．上がり湯槽下方部
６２．上がり湯槽上方部
６３．上がり湯槽排出部
６４．水道水加熱用細管
６５．上がり湯槽排出管
６６．上端支持ステンレス板
６７．中央槽下槽支持用樹脂板
６８．第２槽下槽支持用樹脂板
６９．下端支持用樹脂板
７０．断熱材Ａ
７１．断熱材Ｂ
【図１】
2011242022.tif 000003
【図２】
2011242022.tif 000004
【図３】
2011242022.tif 000005
【手続補正書】
【提出日】平成22年9月22日(2010.9.22)
【手続補正１】
【補正対象書類名】特許請求の範囲
【補正対象項目名】請求項１
【補正方法】変更
【補正の内容】
【請求項１】
浴槽１から汲み上げたお湯２をセラミック膜フィルターケース５のセラミック膜フィルターで超精密ろ過しながら、浴槽外に蓄える方式において、ツバ付中央槽１６の外周外側を反射板付ガラスウール３２と同時に真空隙間Ａ２６を持つ真空部Ａ３０を持ち、かぶさる形でツバ付第２槽１５が設けられ、このツバ付第２槽１５の外周外側を反射板付ガラスウール４５と同時に真空隙間Ｂ２７を持った真空部Ｂ３１がかぶさる形でツバ付第３槽１３が設けられ、前記ツバ付中央槽１６及びツバ付第２槽１５そしてツバ付第３槽１３で構成された３槽の上槽部の各下端に設けられたツバ部に対応して、それぞれツバ付中央槽用下槽１９及びツバ付第２槽用下槽２０そしてツバ付第３槽用下槽２１がパッキンを挟んで結合出来るようになっており、下槽部に対応した上槽部とが一体形にでき、下槽部下端の中心に設けられた中心穴の前記下槽の間に、２枚の樹脂板を挟み込んで２箇所の真空隙間が形成出来るように２枚の樹脂板に前記一体形成後に、真空抜きが行なえるように樹脂板中央穴部２８以外の２箇所に空気抜用銅製パイプＡ４９及び空気抜用銅製パイプＢ５０が設けられ、真空抜き後パイプをカシメて前述の二箇所の真空隙間を形成させ、前記樹脂板中央穴部２８の上方部穴を塞ぐように片持支持のゴム製安全弁付フロート弁２２が設けられている、下方部のみ開放支持形を特徴とするエコ上がり湯付給湯器。
【手続補正２】
【補正対象書類名】明細書
【補正対象項目名】００２０
【補正方法】変更
【補正の内容】
【００２０】
本発明は、請求項１として、浴槽１から汲み上げたお湯２をセラミック膜フィルターケース５のセラミック膜フィルターで超精密ろ過しながら、浴槽外に蓄える方式において、ツバ付中央槽１６の外周外側を反射板付ガラスウール３２と同時に真空隙間Ａ２６を持つ真空部Ａ３０を持ち、かぶさる形でツバ付第２槽１５が設けられ、このツバ付第２槽１５の外周外側を反射板付ガラスウール４５と同時に真空隙間Ｂ２７を持った真空部Ｂ３１がかぶさる形でツバ付第３槽１３が設けられ、前記ツバ付中央槽１６及びツバ付第２槽１５そしてツバ付第３槽１３で構成された３槽の上槽部の各下端に設けられたツバ部に対応して、それぞれツバ付中央槽用下槽１９及びツバ付第２槽用下槽２０そしてツバ付第３槽用下槽２１がパッキンを挟んで結合出来るようになっており、下槽部に対応した上槽部とが一体形にでき、下槽部下端の中心に設けられた中心穴の前記下槽の間に、２枚の樹脂板を挟み込んで２箇所の真空隙間が形成出来るように２枚の樹脂板に前記一体形成後に、真空抜きが行なえるように樹脂板中央穴部２８以外の２箇所に空気抜用銅製パイプＡ４９及び空気抜用銅製パイプＢ５０が設けられ、真空抜き後パイプをカシメて前述の二箇所の真空隙間を形成させ、前記樹脂板中央穴部２８の上方部穴を塞ぐように片持支持のゴム製安全弁付フロート弁２２が設けられている、下方部のみ開放支持形を特徴とするエコ上がり湯付給湯器。
請求項２として、前記請求項１の浴槽１の外に蓄えるツバ付中央槽１６の保温構造において、その下方に設ける湯口支持台８を上下出来る湯口上下用シリンダー１４により自由に上下出来、湯口支持台８の中には、浄水湯用ホース６、エアー用ホース１０、排湯ホース２３、水道用ホース３７、パイプヒーターＡ３５が設置固定されており、これが上昇するとパイプヒーターＡ３５の上端部でゴム製安全弁付フロート弁２２が開閉できる構造となっており、下方に下がっている時は、左右断熱ブロック１２が左右断熱ブロック開閉シリンダー１１で閉じられており、上昇時には、収納浄水湯２４がエアー用ホース１０より高圧エアーを投入する事で急速に排湯ホース２３より浴槽１にお湯２を戻せれる事を特徴とするエコ上がり湯付給湯器。
請求項３として、前記請求項１、請求項２の浴槽１の外に蓄えるツバ付中央槽１６の保温構造において、その中に蓄える収納浄水湯２４の湯中に設ける下方下端が狭く、上方が上に湾曲をした広い形状で設置時に逆円錐形状をした上がり湯タンク６０が、その外周に水道水加熱用細管６４が螺旋形に巻きつける形で固定され、下方から水道水を水道水圧力調整弁３３を通じて、上方の上がり湯槽上方部６２を通じて内部下方に投入出来、収納浄水湯２４の中の上がり湯タンク６０の下方に設けたパイプヒーターＡ３５で加熱すると、上昇熱湯流で細管及びタンクが加熱され、上がり湯タンク６０の上部に加熱された熱湯が集まり、熱湯がタンク内に満水になると、上がり湯槽排出管６５より排湯出来る構造となっている事を特徴とする請求項１または２のいずれかに記載のエコ上がり湯付給湯器。請求項４として、前記浴槽１の請求項１、請求項２、請求項３の浴槽１の外に蓄えるツバ付中央槽１６の保温構造において、その中に蓄える収納浄水湯２４の湯中に設ける上がり湯タンク６０が水道水のみをパイプヒーターＡ３５の加熱で加工し、収納浄水湯２４は、浴槽１に戻さないで、上がり湯タンク６０の中の水道水の加熱湯のみで浴槽１を満たす事を特徴とする請求項１ないし請求項３のいずれかに記載のエコ上がり湯付給湯器。である。
これらの課題に対して、手段としては、現在使用中のガス給湯器や石油による湯沸し法の給湯器を安価な装置を追加して、エコキュートや深夜電気温水器と同等程度の機能を付与することを目指すもので、お風呂でのエネルギー自体の節約でＣＯ２の排出を抑える為に、お風呂の貯湯を水道水と同等程度の水質になるように、セラミック膜フィルターによりろ過を行い、このお湯から外気へのエネルギーの逃避を防止する為に、ステンレス中心槽の外周への２段真空化とその形成方法として１段目及び２段目ともに隙間の真空化と反射板付きのガラスウール封入による２重の被覆で、万一真空が破れても対流現象やふく射現象が起こりにくくし、さらに中心槽及びその外周に設けるステンレス外装外壁を鏡面仕上げにする事と中に封入するガラスウールにもアルミ箔で反射させる２つの機能でふく射熱を小さくする機能を持たせる。
【手続補正３】
【補正対象書類名】明細書
【補正対象項目名】００３３
【補正方法】変更
【補正の内容】
【００３３】
この為、ツバ付き中央槽１６やその周囲外側に設けるツバ付き第２槽１５との間に出来る隙間である真空部Ａ３０とその中に封入された断熱材である反射板付きガラスウール３２とそのツバ付き第２槽１５の外周外側とツバ付き第３槽１３との間で形成する隙間の真空部Ｂ３１が、反射板付きガラスウール４５を封入して真空に保たれており、この断熱材のかわりに新しい断熱材が有効的にあれば、使用可能であり、それぞれの壁部を形成するステンレスの壁との間で、万一にも真空漏れが発生した場合の対流現象やステンレス壁の反射やガラスウール反射板による反射現象で熱のふく射現象を防止するものであり、これは、上方に設けられた、３槽で形成する上槽部の各槽に設けられた下端部にツバ部を設けることでツバ付き中央槽１６及びその外側のツバ付き第２槽１５、さらにその外側に設けられたツバ付き第３槽１３が、このツバ部に対応出来る下方に設けた湾曲した３組のツバ付き下槽部がそれぞれパッキンを挟んでネジで上槽部と下槽部とが一体形に結合出来る構造となっている。
【手続補正４】
【補正対象書類名】明細書
【補正対象項目名】００４１
【補正方法】変更
【補正の内容】
【００４１】
図１で示されるように、ツバ付中央槽１６及びツバ付第２槽１５そしてツバ付第３槽１３の３槽で構成された上槽部と図２で示されたツバ付中央槽用下槽１９及びツバ付第２槽用下槽２０そしてツバ付第３槽用下槽２１のそれぞれ３槽で構成された下槽部の３槽とが、パッキンを挟んで結合出来るようにようになつており、上槽部と下槽部とが図１のように一体形になっているので、図２に示すように、中央槽下槽支持用樹脂板６７より下方に向かって貫通した空気抜用銅製パイプＡ４９が設けられており、第２槽下槽支持用樹脂板６８には、空気抜用銅製パイプＢ５０が下方に貫通して設けられ、ここから各々の隙間を形成する上槽部と下槽部を結合した真空部分である真空部Ａ３０及び真空部Ｂ３１の空気を抜いて、真空になるようにして、真空が完成したら銅製パイプをツブシて密封できる構造となっている。